(57)【要約】【課題】簡単な操作で、冷蔵商品と温蔵商品との陳列棚の比率を変更でき、効率的に冷蔵商品を冷やすことができるようにしたショーケースを提供する。【解決手段】コ字状の断熱材と前記断熱材の内側に間隔を配して区画板を有し、前記断熱材と前記区画板との間隔を冷気循環ダクトとすると共に、前記区画板の内側に庫内が形成され、前記庫内に商品を陳列する商品陳列棚を形成したショーケースにおいて、前記商品陳列棚の少なくとも１つに冷気循環ダクト内の冷気を庫内に導く中間ダクトを形成すると共に、前記区画板の一部を硬質樹脂材とした樹脂部を有し、前記樹脂部に中間ダクトが挿入できる大きさの複数の切込みを設け、前記中間ダクトを挿入した際に前記切込みによって形成された回動部材が冷気循環ダクトを上下に塞ぐことができる大きさを有していることを特徴とする。【選択図】図２
2012050529.tif 000002
【特許請求の範囲】
【請求項１】
コ字状の断熱材と前記断熱材の内側に間隔を配して区画板を有し、前記断熱材と前記区画板との間隔を冷気循環ダクトとすると共に、前記区画板の内側に庫内が形成され、前記庫内に商品を陳列する商品陳列棚を形成したショーケースにおいて、前記商品陳列棚の少なくとも１つに冷気循環ダクト内の冷気を庫内に導く中間ダクトを形成すると共に、前記区画板の一部を硬質樹脂材とした樹脂部を有し、前記樹脂部に中間ダクトが挿入できる大きさの複数の切込みを設け、前記中間ダクトを挿入した際に前記切込みによって形成された回動部材が冷気循環ダクトを上下に塞ぐことができる大きさを有していることを特徴とするショーケース。
【請求項２】
前記ショーケースにおいて、硬質樹脂材に形成された回動部材の下部に軟質樹脂を取り付けたことを特徴とするショーケース。
【発明の詳細な説明】
【技術分野】
【０００１】
本発明は、商品陳列室内を、冷蔵商品専用、温蔵商品専用あるいは冷蔵商品と温蔵商品とが併売可能なように構成されているショーケースに関するものである。
【背景技術】
【０００２】
従来より、ショーケースでは、断熱筺体としてなる全面開放形のケース本体と、庫内の商品陳列室を取り巻いてケース本体の外箱の断熱壁と内箱の背面パネルとの間に画成した冷気循環ダクトと、冷却機と、庫内ファンと、冷凍機のコンデンシングユニットが収納されている機械室と、庫内に上下段に並んで商品を載置する商品陳列棚を構成する。
【０００３】
この各商品陳列棚には、温蔵商品も販売可能なように商品陳列棚内にヒータが設けられている。
【０００４】
例えば、上部の２段に温蔵商品、下部の２段に冷蔵商品を展示して冷温商品併売用の４段のショーケースとして設置した場合、上部から２段目の商品陳列棚の下に着脱自在に設けられた仕切板を背面パネルに形成される切欠きを介して冷気循環ダクト内に進入させて、冷気循環ダクトを上下方向に遮蔽している。
【０００５】
また、切欠きは上下に区分される商品陳列棚の冷温商品の陳列比率を変更可能なように上下複数個所に設け、この切欠きを閉塞するために、背面パネルには開度自在に設けられ、仕切板により押し開かれるカバーを設けている。
【０００６】
このように、商品陳列棚に着脱自在に設けられた仕切板により冷気循環ダクト内を上下に遮蔽することにより、冷温商品の併売を可能としている（例えば、特許文献１参照）。
【先行技術文献】
【特許文献】
【０００７】
【特許文献１】特許第４２３８３４３号公報
【発明の概要】
【発明が解決しようとする課題】
【０００８】
上記特許文献１では、切欠きはショーケースの幅方向に渡って形成していると共に、背面パネルに仕切板を進入させる切欠きを複数形成しなければならず、背面パネルの強度が低下してしまい、変形してしまう虞もある。また、仕切板が進入していない切欠きを完全に閉塞することが難しく、切欠きから冷気が漏れてしまい、十分なエアーカーテンを形成することが出来なくなってしまう虞もある。
【０００９】
また、使用されていない切欠きに顧客が誤って手を入れてしまい、手が切欠きとカバーの間に挟まれて怪我を負ってしまう虞もある。
【００１０】
更に、使用していない切欠きを通して物が入れられてしまったり、誤ってものが入れられた場合に、冷却器上に物が落下し、ショーケースが十分な冷却性能を得ることが出来なくなってしまったり、庫内ファン等が故障してしまう等の虞もある。
【００１１】
本発明は、上記の点に鑑みてなされたものであり、その目的は前記課題を解決し、簡単な操作で、冷蔵商品と温蔵商品との陳列棚の比率を変更でき、効率的に冷蔵商品を冷やすことができるようにしたショーケースを提供することにある。
【課題を解決するための手段】
【００１２】
上記目的を達成するために、請求項１の発明のショーケースは、コ字状の断熱材と前記断熱材の内側に間隔を配して区画板を有し、前記断熱材と前記区画板との間隔を冷気循環ダクトとすると共に、前記区画板の内側に庫内が形成され、前記庫内に商品を陳列する商品陳列棚を形成したショーケースにおいて、前記商品陳列棚の少なくとも１つに冷気循環ダクト内の冷気を庫内に導く中間ダクトを形成すると共に、前記区画板の一部を硬質樹脂材とした樹脂部を有し、前記樹脂部に中間ダクトが挿入できる大きさの複数の切込みを設け、前記中間ダクトを挿入した際に前記切込みによって形成された回動部材が冷気循環ダクトを上下に塞ぐことができる大きさを有していることを特徴とする。
【００１３】
請求項２の発明のショーケースは、請求項１において硬質樹脂材に形成された回動部材の下部に軟質樹脂を取り付けたことを特徴とする。
【発明の効果】
【００１４】
請求項１の発明のショーケースは、コ字状の断熱材と前記断熱材の内側に間隔を存して区画板を有し、前記断熱材と前記区画板との間隔を冷気循環ダクトとすると共に、前記区画板の内側に庫内が形成され、前記庫内に商品を陳列する商品陳列棚を形成したものであって、前記商品陳列棚の少なくとも１つに冷気循環ダクト内の冷気を庫内に導く中間ダクトを形成すると共に、前記区画板の一部を硬質樹脂材とした樹脂部を有し、前記樹脂部に中間ダクトが挿入できる大きさの複数の切込みを設け、前記切込みによって形成された回動部材に中間ダクトが挿入された際に、冷気循環ダクト内を流れる冷気を中間ダクトに導くことで、簡単に冷蔵商品と温蔵商品の併売を行うことができる。
【００１５】
また、硬質樹脂材に切込みを設けているため、誤って切込みに手を突っ込んでしまっても、怪我をすることはなく安全に使用することができる。
【００１６】
請求項２の発明のショーケースは、回動部材の下端の周囲を冷気循環ダクト内から軟質樹脂を覆うことで、使用していない回動部材から冷気循環ダクト内を流れる冷気が庫内に漏れることがない。
【図面の簡単な説明】
【００１７】
【図１】本発明を適用したショーケースの側面図である。
【図２】本発明を適用したショーケースの斜視図である。
【図３】本発明を適用したショーケースの冷気循環ダクトの拡大側面図である。
【発明を実施するための最良の形態】
【００１８】
以下、図面に基づき本発明の実施形態を詳細に説明する。
【００１９】
図１の本発明を適用したショーケースの側面図において、ショーケース１は前面に開口するコ字状の断熱材２と、断熱材２の内側に間隔を存して区画板３が形成され、区画板３と断熱材２の間を冷気循環ダクト４とすると共に、区画板３の内側を庫内６としている。
【００２０】
冷気循環ダクト４の上端は庫内６の前面開口上縁に位置する上部冷気吐出口９に連通し、その前方部には商品を照らす蛍光灯支持部材１０が設置されている。下部ダクトの前端は庫内の前面開口下縁に位置すると共に、複数のスリットから成る冷気吸込口１１に連通している。また、デッキパン５の下方の下部ダクトには冷気送給用の送風機８が配置され、庫内６後方の冷気循環ダクト内には冷却装置の冷凍サイクルを構成する冷却器１２が縦設されている。
【００２１】
庫内６には中間ダクト１４と複数段の商品陳列棚１３が、本実施例では上下に７段架設されている。各商品陳列棚１３は、後端に後方に突出する鉤状の爪を有した左右一対のブラケット１５と、このブラケット上に差し渡して着脱自在に取り付けられた棚板１６と、この棚板の下面に取り付けられた加温用の図示しない電気ヒータとから構成されている。またブラケット１５は区画板の両端に設けられた棚支柱１７の孔に係止されている。
【００２２】
そして、ショーケース内の棚支柱１７に硬質樹脂材３が取り付けられ、上下方向に複数形成された孔に前記ブラケットの爪を係脱自在に係合させることにより、各商品陳列棚１３は庫内に置いて上下位置（高さ）を変更可能に架設されている。尚、この場合、陳列する商品（缶やペットボトル等）の高さ寸法に合わせて効率的な棚配置ができるように、商品に対応した番号や色を棚支柱１７（棚支柱の所定の高さの位置）に付しておくと良い。
【００２３】
次に、図２、３を用いて、ショーケース内の硬質樹脂材３の構成について説明する。
【００２４】
図２は、ショーケース内の硬質樹脂材３に中間ダクト１４を取り付けた際の斜視図、図3は硬質樹脂材３に中間ダクト１４を取り付けた際の側面図である。
【００２５】
図２のように、庫内６に設けられた硬質樹脂材３には、ショーケースの幅方向に沿って略Ｕ字状に切込み２０が設けられている。この切込み２０により切込み部材２１が形成される。この形成された切込み部材２１の下部に軟質樹脂２２が取り付けられ、回動部材２３が形成されている。尚、軟質部材２２は、左端及び右端にも取り付けてもよい。
【００２６】
硬質樹脂材３には、切込み２０が上下に複数設けられており、中間ダクト１４が挿入できる程度の大きさを有している。また、複数の回動部材２３が上下に形成されており、中間ダクト１４が挿入された際に、冷気循環ダクト４を上下に塞ぐことができる程度の高さを有している。
【００２７】
この硬質樹脂材３に設けられた複数の回動部材２３に使用者が任意の個所に中間ダクト１４を差し込むことで思いのままに冷蔵商品と温蔵商品との棚陳列の比率を変更することができる仕組みになっている。
【００２８】
また、硬質樹脂材３を使用することで、従来技術では区画板が金属板であったため、中間ダクト１４との接触によりダクト導入孔２４が破損する虞がなく、安全に使用することができる。
【００２９】
さらに、区画板３が硬質樹脂材３で構成されているため、顧客等が誤って切込みに手を突っ込んでしまっても、手がダクト導入孔２４と硬質樹脂材３との間に挟まれ怪我を負ってしまう虞もない。
【００３０】
例えば、図２のように上から３段目の回動部材２３に中間ダクト４を挿入したとする。その際、図３のように、回動部材２３は冷気循環ダクト内に中間ダクト１４とともに進入する。硬質樹脂材３に設けられた全ての回動部材２３には略Ｕ字状の切込み２０の少なくとも下端の周囲を軟質樹脂２２で覆われている。これは、冷気循環ダクト内を下から上に流れる冷気によって、使用していない回動部材２３の隙間から冷気が庫内６に漏れるのを防止する役目と、回動部材２３に中間ダクト１４が挿入された場合には、冷気循環ダクト４を上下に塞ぐ役目を担っている。
【００３１】
冷気循環ダクト内に中間ダクト１４とともに進入した回動部材２３は、下部２５が冷気循環ダクト内の断熱板２に接するまで回動部材２３が図３のように下から上へ反時計回りに回動する。回動部材２３は断熱板２に回動部材２３の下部２５が接するため冷気循環ダクト内を上下に塞ぐことができる。冷気循環ダクト内を流れる冷気は、回動部材２３により、それ以上上方には流れなくなる。
【００３２】
中間ダクト１４が挿入されたことにより回動した回動部材２３により硬質樹脂材３に形成されたダクト導入孔２５を通過した冷気は、中間ダクト１４に設けられた通風孔２６を通り、中間ダクト内を流れる。中間ダクト内を流れる冷気は、中間ダクト１４の一端にある棚下冷気吐出口か１９ら送出される。棚下冷気吐出口１９から下方へ送出された冷気は、冷気吸込口１１へ向け流下する。これにより、ショーケース１の前方（正面側）に均一なエアーカーテンを形成することができ、商品陳列棚１３に陳列された冷蔵商品を冷蔵することができる。中間ダクト１４よりも上部の商品陳列棚１３に取り付けられている電気ヒータを通電させることで、中間ダクト１４を挿入した商品陳列棚１３の上下で、温度帯の異なる商品を販売することが可能になる。
【００３３】
図３では、上から３段目のダクト導入孔２５に中間ダクト１４を差し込み、冷蔵商品と温蔵商品を販売するショーケース１としたが、この図３のような使用に限られるものではない。使用者が商品陳列棚１３に陳列する商品の高さに応じて中間ダクト１４を差し込む切込み２０の位置を変更することができるため、最も効率のよい商品陳列が可能になり、使用者の意図する使用が可能になる。
【００３４】
なお、上記実施例では、商品陳列棚が７段の場合のショーケースについて説明したが、この段数に限られるものではない。また、中間ダクト１４よりも上の商品陳列棚１３に内蔵されている電気ヒータで温蔵領域としたが、電気ヒータに通電することなく、或いは、電気ヒータを設けずに非冷領域として使用してもよい。
【符号の説明】
【００３５】
１     ショーケース
２     断熱材
３     硬質樹脂材
４     冷気循環ダクト
６     庫内
８     送風機
９     上部冷気吐出口
１１    冷気吸込口
１２    冷却器
１３    商品陳列棚
１４    中間ダクト
１６    棚板
１７    棚支柱
２０    切込み
２１    切込み部材
２２    軟質樹脂
２３    回動部材
２５    ダクト導入孔
２６    通風孔
【図１】
2012050529.tif 000003
【図２】
2012050529.tif 000004
【図３】
2012050529.tif 000005